(57)【要約】【課題】  基地局と上位装置との間の通信が断となった場合でも専用の送受信部を設けることなく該基地局の状態を上位装置に通知することができる移動通信システムを得る。【解決手段】  基地局４と上位局１との間の伝送路２を介した通信が断となった場合、基地局４において、移動機と無線通信を行うための無線通信手段が、移動機と無線通信を行う際の上りリンクに用いられる無線リソースを用いて基地局５の無線通信手段との間に送信用リンクを確立して基地局４の状態を基地局５に無線送信する。基地局５は、受信された基地局４の状態を伝送路３を介して上位局１に送信する。【選択図】      図１
2008205866.tif 000002
【特許請求の範囲】
【請求項１】
移動機と無線通信を行うことが可能な無線通信手段を有する複数の基地局と、前記複数の基地局とそれぞれ伝送路を介して接続された上位装置とを含み、前記複数の基地局各々は自局の状態を前記伝送路を介して前記上位装置に通知する移動通信システムであって、
前記複数の基地局各々の前記無線通信手段は、自局と前記上位装置との間の通信が断である場合に、前記移動機と無線通信を行う際の上りリンクに用いられる無線リソースを用いて他の基地局の前記無線通信手段との間に送信用リンクを確立して前記他の基地局に前記状態を通知し、
前記他の基地局は、自局の前記無線通信手段により受信された前記状態の通知を前記伝送路を介して前記上位装置に転送する手段を含むことを特徴とする移動通信システム。
【請求項２】
前記無線通信手段は、前記送信用リンクに加えて、前記移動機と無線通信を行う際の下りリンクに用いられる無線リソースを用いて前記他の基地局の前記無線通信手段との間に受信用リンクを確立することを特徴とする請求項１記載の移動通信システム。
【請求項３】
移動機と無線通信を行うことが可能な無線通信手段を有する複数の基地局と、前記複数の基地局とそれぞれ伝送路を介して接続された上位装置とを含み、前記複数の基地局各々は自局の状態を前記伝送路を介して前記上位装置に通知する移動通信システムの障害通知方法であって、
前記複数の基地局各々の前記無線通信手段において、自局と前記上位装置との間の通信が断である場合に、前記移動機と無線通信を行う際の上りリンクに用いられる無線リソースを用いて他の基地局の前記無線通信手段との間に送信用リンクを確立して前記他の基地局に前記状態を通知するステップと、
前記他の基地局において、自局の前記無線通信手段により受信された前記状態の通知を前記伝送路を介して前記上位装置に転送するステップを含むことを特徴とする障害通知方法。
【請求項４】
前記状態を通知するステップは、前記送信用リンクに加えて、前記移動機と無線通信を行う際の下りリンクに用いられる無線リソースを用いて前記他の基地局の前記無線通信手段との間に受信用リンクを確立することを特徴とする請求項３記載の障害通知方法。
【請求項５】
移動機と無線通信を行うことが可能な無線通信手段を有し、伝送路を介して接続された上位装置に自局の状態を通知する基地局であって、
前記無線通信手段は、自局と前記上位装置との間の通信が断である場合に、前記移動機と無線通信を行う際の上りリンクに用いられる無線リソースを用いて他の基地局の前記無線通信手段との間に送信用リンクを確立して前記他の基地局に前記状態を通知することを特徴とする基地局。
【請求項６】
前記無線通信手段により受信された他の基地局からの該基地局の状態の通知を前記伝送路を介して前記上位装置に転送する手段を含むことを特徴とする請求項５記載の基地局。
【請求項７】
前記無線通信手段は、前記送信用リンクに加えて、前記移動機と無線通信を行う際の下りリンクに用いられる無線リソースを用いて前記他の基地局の前記無線通信手段との間に受信用リンクを確立することを特徴とする請求項５または６記載の基地局。
【請求項８】
移動機と無線通信を行うことが可能な無線通信手段を有し、伝送路を介して接続された上位装置に自局の状態を通知する基地局の障害通知方法をコンピュータに実行させるためのプログラムであって、
前記無線通信手段において、自局と前記上位装置との間の通信が断である場合に、前記移動機と無線通信を行う際の上りリンクに用いられる無線リソースを用いて他の基地局の前記無線通信手段との間に送信用リンクを確立して前記他の基地局に前記状態を通知する処理を含むことを特徴とするプログラム。
【発明の詳細な説明】
【技術分野】
【０００１】
本発明は移動通信システム、その障害通知方法、基地局及びプログラムに関し、特に移動機と無線通信を行うことが可能な無線通信手段を有し、伝送路を介して接続された上位装置に自局の状態を通知する基地局に関する。
【背景技術】
【０００２】
従来、上位局と基地局を繋いでいる伝送路、もしくは基地局内でその伝送路を終端している伝送路処理部に障害が発生した場合、上位局と基地局の通信が全くできなくなるため、上位局は、該当の基地局の状態を取得できなくなり、該当の基地局がどのような状態なのか分からず、復旧させるための情報を取得できなかった。また、その逆に、上位局が該当の基地局を制御しようとしても、その制御信号が該当の基地局に到達せず、制御することができなかった。
【０００３】
これに対して、特許文献１には、無線基地局制御装置とそれぞれ接続された各無線基地局が、無線基地局制御装置との間の回線の状態を監視し回線障害を検出する監視部と、この回線障害と他障害情報を他の無線基地局との間で送受信する送受信部とを備えており、回線障害により無線基地局制御装置との通信が断となった場合に、回線障害及び他障害情報を送受信部により他の無線基地局へ無線送信し、他の無線基地局は、受信された障害情報を無線基地局制御装置に送信する障害通知方式が記載されている。
【０００４】
【特許文献１】特開平０５−１６７４７５号公報
【発明の開示】
【発明が解決しようとする課題】
【０００５】
しかしながら、特許文献１記載の障害通知方式では、障害情報を他の無線基地局との間で送受信するための専用の送受信部を各基地局に新たに設けなければならないという問題がある。
【０００６】
本発明の目的は、基地局と上位装置との間の通信が断となった場合でも専用の送受信部を設けることなく該基地局の状態を上位装置に通知することができる移動通信システム、その障害通知方法、基地局及びプログラムを提供することである。
【課題を解決するための手段】
【０００７】
本発明による移動通信システムは、移動機と無線通信を行うことが可能な無線通信手段を有する複数の基地局と、前記複数の基地局とそれぞれ伝送路を介して接続された上位装置とを含み、前記複数の基地局各々は自局の状態を前記伝送路を介して前記上位装置に通知する移動通信システムであって、前記複数の基地局各々の前記無線通信手段は、自局と前記上位装置との間の通信が断である場合に、前記移動機と無線通信を行う際の上りリンクに用いられる無線リソースを用いて他の基地局の前記無線通信手段との間に送信用リンクを確立して前記他の基地局に前記状態を通知し、前記他の基地局は、自局の前記無線通信手段により受信された前記状態の通知を前記伝送路を介して前記上位装置に転送する手段を含むことを特徴とする。
【０００８】
前記移動通信システムにおいて、前記無線通信手段は、前記送信用リンクに加えて、前記移動機と無線通信を行う際の下りリンクに用いられる無線リソースを用いて前記他の基地局の前記無線通信手段との間に受信用リンクを確立することを特徴とする。
【０００９】
本発明による障害通知方法は、移動機と無線通信を行うことが可能な無線通信手段を有する複数の基地局と、前記複数の基地局とそれぞれ伝送路を介して接続された上位装置とを含み、前記複数の基地局各々は自局の状態を前記伝送路を介して前記上位装置に通知する移動通信システムの障害通知方法であって、前記複数の基地局各々の前記無線通信手段において、自局と前記上位装置との間の通信が断である場合に、前記移動機と無線通信を行う際の上りリンクに用いられる無線リソースを用いて他の基地局の前記無線通信手段との間に送信用リンクを確立して前記他の基地局に前記状態を通知するステップと、前記他の基地局において、自局の前記無線通信手段により受信された前記状態の通知を前記伝送路を介して前記上位装置に転送するステップを含むことを特徴とする。
【００１０】
本発明による基地局は、移動機と無線通信を行うことが可能な無線通信手段を有し、伝送路を介して接続された上位装置に自局の状態を通知する基地局であって、前記無線通信手段は、自局と前記上位装置との間の通信が断である場合に、前記移動機と無線通信を行う際の上りリンクに用いられる無線リソースを用いて他の基地局の前記無線通信手段との間に送信用リンクを確立して前記他の基地局に前記状態を通知することを特徴とする。
【００１１】
本発明によるプログラムは、移動機と無線通信を行うことが可能な無線通信手段を有し、伝送路を介して接続された上位装置に自局の状態を通知する基地局の障害通知方法をコンピュータに実行させるためのプログラムであって、前記無線通信手段において、自局と前記上位装置との間の通信が断である場合に、前記移動機と無線通信を行う際の上りリンクに用いられる無線リソースを用いて他の基地局の前記無線通信手段との間に送信用リンクを確立して前記他の基地局に前記状態を通知する処理を含むことを特徴とするプログラム。
【００１２】
このように、本発明では、基地局において、移動機と無線通信を行うための無線通信手段が、自局と上位装置との間の伝送路を介した通信の断時に、移動機と無線通信を行う際の上りリンクに用いられる無線リソースを用いて他の基地局の無線通信手段との間に送信用リンクを確立して自局の状態を他の基地局に無線送信するようにしている。
【発明の効果】
【００１３】
本発明によれば、基地局において、移動機と無線通信を行うための無線通信手段が、自局と上位装置との間の伝送路を介した通信の断時に、移動機と無線通信を行う際の上りリンクに用いられる無線リソースを用いて他の基地局の無線通信手段との間に送信用リンクを確立して自局の状態を他の基地局に無線送信するようにしているので、基地局と上位装置との間の通信が断となった場合でも専用の送受信部を設けることなく該基地局の状態を他の基地局を介して上位装置に通知することができるという効果が得られる。
【発明を実施するための最良の形態】
【００１４】
以下、本発明の実施例について図面を参照して説明する。
【００１５】
図１は本発明の実施例による移動通信システムの構成を示す図である。図１において、本発明の実施例による移動通信システムは、基地局４及び５と、基地局４及び５の上位制御局である上位局１と、移動機６及び７とを有している。
【００１６】
基地局４及び５は、伝送路２及び３を介して上位局１とそれぞれ接続されている。上位局１は、保守監視機能部１１とデータ交換機能部１２とを有している。保守監視機能部１１は、基地局４及び５の各部を制御したり、基地局４及び５の各部の状態を監視する機能を有する。データ交換機能部１２は、データ信号（音声及びデータ（非音声）信号）を一般網と基地局４及び５との間で通信させるための交換機能を有する。
【００１７】
基地局４及び５は、移動機６及び７各々と無線通信を行うことが可能な無線通信手段を有しており、移動機６及び７は、上位局１からのデータ信号を基地局４，５が無線に変換させた信号を受信する。また、移動機６及び７は、データ信号を無線信号に変換し、基地局４，５経由で上位局１へ送信する。
【００１８】
図２は図１に示した本発明の実施例による移動通信システムにおける各基地局の配置を示す図である。本発明の実施例では、基地局と移動機の接続はＣＤＭＡ（Ｃｏｄｅ  Ｄｉｖｉｓｉｏｎ  Ｍｕｌｔｉｐｌｅ  Ａｃｃｅｓｓ）方式で接続されるものとする。ＣＤＭＡ方式では、移動機は２つ以上の基地局と同時に接続される。
【００１９】
そのため、図２に示すように、基地局のエリア（基地局が発信する電波が届く範囲であり、セルと称される）が隣接する基地局同士で重なり合っており、また、各基地局のエリアは、隣接する基地局の設置位置までも該エリアに含んでいる。例えば、基地局Ａのエリアａは隣接する基地局Ｂ及びＣのエリアｂ及びｃと重なることは勿論、基地局Ｂ及びＣが設置された位置も基地局Ａのエリアａに含まれる。図１に示した隣接する基地局４及び５についても同様に、基地局４のエリア内に基地局５が存在しており、また基地局５のエリア内に基地局４が存在しているものとする。
【００２０】
なお、本発明の実施例では、基地局と移動機の無線接続をＣＤＭＡ方式であるとしているが、上述したように各基地局のエリアが隣接する基地局をカバーするのであれば、ＣＤＭＡ方式に限定されるものではなく他の方式であってもよい。
【００２１】
図３は図１に示した基地局４の構成を示す図である。図３において、基地局４は、伝送路処理部１０１と、信号処理部１０２と、無線部１０３と、アンテナ１０５と、制御部１０６とを有している。
【００２２】
伝送路２を終端する伝送路処理部１０１は、上位局１から伝送路２を介して送信されてくるデータ信号と保守監視信号を受信し、データ信号は信号処理部１０２へ、保守監視信号は制御部１０６の監視制御部１０７へ送信する。また、伝送路処理部１０１は、信号処理部１０２からのデータ信号と監視制御部１０７からの保守監視信号を多重し、上位局１へ伝送路２を介して送信する。
【００２３】
信号処理部１０２は、伝送路処理部１０２からのデータ信号を信号処理して無線部１０３へ送信し、また、無線部１０３からの信号を信号処理して伝送路処理部１０２へ送信する。無線部１０３は、信号処理部１０２からのデータ信号を無線に変換してアンテナ１０５を介して無線送信し、また、アンテナ１０５を介して受信された信号を変換し信号処理部１０２へ送信する。
【００２４】
制御部１０６は、基地局４の各部を制御するものであり、制御部１０６の監視制御部１０７は、基地局４の状態（基地局４内の伝送路処理部１０１、信号処理部１０２及び無線部１０３の状態）を常に監視し、何らかの障害が発生したときには、監視制御情報として伝送路処理部１０１へ送信する。
【００２５】
また、上位局１の保守監視機能部１１が基地局４内の任意の部位を制御する場合、上位局１の保守監視機能部１１から保守監視信号が伝送路２を介して基地局４へ送信され、基地局４の伝送路処理部１０１により受信され、データ信号と分離されて監視制御部１０７にて受信される。監視制御部１０７は、この保守監視信号の制御内容に従って伝送路処理部１０１、信号処理部１０２または無線部１０３を制御する。
【００２６】
また、伝送路２または伝送路処理部１０１において上位局１との通信が断となる障害が発生し、監視制御部１０７が該障害を検出した場合には、基地局４の状態を監視制御情報として、伝送路処理部１０１へは送信せず信号処理部１０２へ送信する。信号処理部１０２は、監視制御部１０７からの監視制御情報を信号処理して無線部１０３へ送信し、無線部１０３は、信号処理部１０２からの監視制御情報を無線に変換してアンテナ１０５を介して隣接する他の基地局（例えば基地局５）へ無線送信する。
【００２７】
基地局４は通常、移動機と無線通信を行う。このとき、基地局４は、送信用リンクとして基地局４から移動機に向かう方向の下りリンクと、受信用リンクとして移動機から基地局４に向かう方向の上りリンクとを移動機との間で確立して無線通信を行う。したがって、基地局４において各リンクに用いられる無線リソース（無線周波数、各種制御チャネル、トラフィックチャネル）は、移動機とは、上り／下りが逆になる。つまり、基地局４は、無線リソースの上り／下りを逆にすることで、移動機と同様に基地局５と無線通信を行うことができる。
【００２８】
したがって、上述のように、基地局４において上位局１との通信が断となり、基地局４の状態を基地局５へ無線通信により通知する場合、制御部１０６は、基地局４の状態を監視制御情報として信号処理部１０２へ送信すると共に、移動機と無線通信を行う際の上りリンクに用いられる無線リソースを用いて基地局５との間に送信用リンクを確立し、また移動機と無線通信を行う際の下りリンクに用いられる無線リソースを用いて基地局５との間に受信用リンクを確立して監視制御情報を基地局５へ送信するよう信号処理部１０２及び無線部１０３を制御する。
【００２９】
以上、図３を用いて基地局４の構成について説明したが、図１の基地局５の構成も図３に示した基地局４の構成と同様である。
【００３０】
次に、本発明の実施例による移動通信システムの動作について図１，３及び４を参照して説明する。図４は本発明の実施例による移動通信システムの動作を示すシーケンス図である。
【００３１】
本発明の実施例による移動通信システムでは、基地局４及び５は通常、自局の状態をそれぞれ伝送路２及び３を介して上位局１に通知する。以下の説明では、伝送路２または伝送路２を終端している基地局４の伝送路処理部１０１に障害が発生し、上位局１と基地局４との間の通信が断となった場合を例にとり動作を説明する。伝送路２または基地局４の伝送路処理部１０１に障害が発生した場合、基地局４の状態を隣接する基地局５を介して上位局１へ伝達するものである。また、伝送路２または基地局４の伝送路処理部１０１に障害発生中に上位局１が基地局４を制御する場合、基地局５経由で制御するものである。
【００３２】
図４に示すように、ここでは伝送路２または基地局４の伝送路処理部１０１に障害が発生して上位局１と基地局４との間の通信が断となったものとする（ステップＳ１）。上位局１と基地局４との間の通信が断となると、上位局１の保守監視機能部１１からは、全く基地局４の各部の状態がどのような状態なのか分からなくなる。
【００３３】
しかし、基地局４の監視制御部１０７は正常に動作しているため、基地局４の各部の状態は監視制御部１０７では完全に取得できている。しかし、上位局１と基地局４との間の通信が断のため、監視制御部１０７が取得した基地局４の各部の状態を伝送路処理部１０１に送信し、伝送路処理部１０１が上位局１に送信しても、上位局１には到達しない。
【００３４】
そこで、上位局１との通信が断となる障害を検出した基地局４の監視制御部１０７は、基地局４の各部の状態を伝送路処理部１０１に送信するのではなく、信号処理部１０２へ送信する。このとき、制御部１０６が移動機と無線通信を行う際の上りリンクに用いられる無線リソースを用いて基地局５との間に送信用リンクを確立し、また移動機と無線通信を行う際の下りリンクに用いられる無線リソースを用いて基地局５との間に受信用リンクを確立して基地局４の状態を基地局５へ送信するよう信号処理部１０２及び無線部１０３を制御することにより、監視制御部１０７により取得された基地局４の状態が信号処理部１０２、無線部１０３及びアンテナ１０５を介して基地局５へ無線送信される（ステップＳ２及びＳ３）。
【００３５】
基地局５において、アンテナ１０５を介して無線部１０３に受信された基地局４の状態は、信号処理部１０２、伝送路処理部１０１及び伝送路３を経由して上位局１へ送信される（ステップＳ４）。したがって、上位局１は、上位局１と基地局４との間の通信が断となっても、基地局５を経由して基地局４の状態を取得することができる。
【００３６】
また、上記とは逆に、上位局１と基地局４との間の通信が断となった場合、上位局１の保守監視機能部１１が基地局４を制御することもできる。この場合は、状態報告を行うのと全く逆の経路で行うことができる。上位局１の保守監視機能部１１からの制御信号（保守監視信号）は、伝送路３、基地局５内の伝送路処理部１０１、信号処理部１０２、無線部１０３、アンテナ１０５を介して基地局４へ無線送信される。
【００３７】
基地局４において、アンテナ１０５を介して無線部１０３に受信された保守監視機能部１１からの制御信号は、信号処理部１０２を介して監視制御部１０７に到達する。基地局４の監視制御部１０７は、受信された制御信号の内容に従って基地局４の各部を制御する。
【００３８】
以上説明したように、本実施例では、基地局４において、移動機と無線通信を行う際の上りリンクに用いられる無線リソースを用いて基地局５との間に送信用リンクを確立して基地局４の状態を基地局５に無線送信するようにしているので、移動機と無線通信を行うための無線通信手段を用いて通知を行うことができ、よって、基地局４と上位局１との間の通信が断となった場合でも専用の送受信部を設けることなく基地局４の状態を基地局５を介して上位局１に通知することができる。
【００３９】
また、本実施例では、基地局４と上位局１との間の通信断時、基地局４において、上記送信用リンクに加えて、移動機と無線通信を行う際の下りリンクに用いられる無線リソースを用いて基地局５との間に受信用リンクが確立されるので、上位局１は基地局４と隣接する基地局５を介して基地局４へ制御信号を送信することができ、よって、基地局４と上位局１との間の通信が断となった場合でも専用の送受信部を設けることなく基地局４を制御することができる。
【００４０】
なお、図４に示したシーケンス図に従った各基地局の処理動作は、該装置において、予めＲＯＭ等の記憶媒体に格納されたプログラムを、ＣＰＵ（制御部）となるコンピュータに読み取らせて実行せしめることにより、実現できることは勿論である。
【００４１】
次に、本発明の他の実施例による移動通信システムについて図面を参照して説明する。本発明の他の実施例による移動通信システムの構成は、図１に示した移動通信システムの構成と同様であるが、基地局４及び５の構成が図３に示した構成と異なる。
【００４２】
図５は本発明の他の実施例による基地局４の構成を示す図である。図５において、本発明の他の実施例による基地局４は、ハイブリッド回路１０４と移動機機能部１０８とを備える点で図３に示した構成と異なる。
【００４３】
ハイブリッド回路１０４は、無線部１０３からの無線信号と移動機機能部１０８からの無線信号とを多重してアンテナ１０５へ送信し、また、アンテナ１０５により受信された移動機からの無線信号を無線部１０３と移動機機能部１０８とへ送信する。
【００４４】
図３に示した構成では、上位局１との通信が断となった場合、監視制御部１０７は基地局４の状態を監視制御情報として信号処理部１０２へ送信するようにしていたが、本発明の他の実施例では、監視制御部１０７は基地局４の状態を監視制御情報として移動機機能部１０８へ送信する。移動機機能部１０８は、監視制御部１０７からの監視制御情報を無線に変換してハイブリッド回路１０４へ送信する。なお、基地局５の構成も図５に示した基地局４の構成と同様である。
【００４５】
次に、伝送路２または伝送路２を終端している基地局４の伝送路処理部１０１に障害が発生し、上位局１と基地局４との間の通信が断となった場合を例にとり本発明の他の実施例の動作を説明する。
【００４６】
上位局１との通信が断となる障害を検出した基地局４の監視制御部１０７は、基地局４の状態を移動機機能部１０８へ送信する。移動機機能部１０８は、監視制御部１０７から基地局４の状態を受信すると、通常の携帯端末のように発呼動作を行う。発呼信号はハイブリッド回路１０４を介して基地局４のアンテナ１０５から送信される。
【００４７】
この発呼信号は隣接する基地局５のアンテナ１０５に到達し、基地局５のハイブリッド回路１０４、無線部１０３、信号処理部１０２、伝送路処理部１０１及び伝送路３を経由して上位局１へ到達し、上位局１と基地局４の移動機機能部１０８が接続される。
【００４８】
上位局１と基地局４の移動機機能部１０８とが基地局５を介して接続されると、基地局４の移動機機能部１０８は、監視制御部１０７から受信された基地局４の状態を、基地局４のハイブリッド回路１０４、基地局４のアンテナ１０５、基地局５のアンテナ１０５、基地局５のハイブリッド回路１０４、基地局５の無線部１０３、基地局５の信号処理部１０２、基地局５の伝送路処理部１０１及び伝送路３を介して上位局１へ送信する。
【００４９】
また、上記とは逆に、上位局１と基地局４との間の通信が断となった場合、上位局１の保守監視機能部１１が基地局４を制御することもできる。この場合は、状態報告を行うのと全く逆の経路で行うことができる。上位局１の保守監視機能部１１からの制御信号（保守監視信号）は、伝送路３、基地局５内の伝送路処理部１０１、信号処理部１０２、無線部１０３、アンテナ１０５を介して基地局４の移動機機能部１０８へ無線送信される。
【００５０】
基地局４において、アンテナ１０５により受信された保守監視機能部１１からの制御信号は、ハイブリッド回路１０４を介して移動機機能部１０８により受信される。移動機機能部１０８は、受信された制御信号を監視制御部１０７に受け渡し、監視制御部１０７は、この制御信号の内容に従って基地局４の各部を制御する。
【図面の簡単な説明】
【００５１】
【図１】本発明の実施例による移動通信システムの構成を示す図である。
【図２】本発明の実施例による移動通信システムにおける各基地局の配置を示す図である。
【図３】図１の基地局の構成を示す図である。
【図４】本発明の実施例による移動通信システムの動作を示すシーケンス図である。
【図５】本発明の他の実施例による基地局の構成を示す図である。
【符号の説明】
【００５２】
１    上位局
２，３    伝送路
４，５    基地局
６，７    移動機
１１    保守監視機能部
１２    データ交換機能部
１０１    伝送路処理部
１０２    信号処理部
１０３    無線部
１０４    ハイブリッド回路
１０５    アンテナ
１０６    制御部
１０７    監視制御部
１０８    移動機機能部
【図１】
2008205866.tif 000003
【図２】
2008205866.tif 000004
【図３】
2008205866.tif 000005
【図４】
2008205866.tif 000006
【図５】
2008205866.tif 000007